(57)【要約】【課題】医用レポートの作成時間の短縮化を図り、統合した所見文を扱い易くする。【解決手段】レポート作成端末１３のコンソール制御部４０は、用語選択入力領域４６、診断名入力領域４８を含む複数の所見文入力領域を有するテンプレートウィンドウ４５、および複数の所見文入力領域を介して入力された各所見文を一まとめにした所見文表示領域６７を有するレポートウィンドウ６５をディスプレイ３７ｂに表示させる。編集処理部４２は、各所見文を識別可能な所見ＩＤを付して所見文のデータを管理する。編集処理部４２は、所見文表示領域６７における各所見文の並び順を表す統合所見文情報８５を作成する。臓器単位表示変更ボタン７２ａ、７２ｂ、臓器内表示変更ボタン７３ａ、７３ｂのクリック選択に応じて、編集処理部４２は統合所見文情報８５を更新し、コンソール制御部４０は臓器単位、所見項目単位で所見文表示領域６７の並び順を変更する。【選択図】図１０
2012053632.tif 000002
【特許請求の範囲】
【請求項１】
医用レポートを構成する所見文を分解した複数の語句の一部を入力語句として選択入力させるテンプレート入力領域を含む複数の所見文入力領域、および複数の所見文入力領域を介して入力された各所見文を統合した統合所見文表示領域をディスプレイに表示させる表示制御手段と、
各所見文を識別するための所見ＩＤを付して各所見文のデータを記憶媒体に記憶させる第一記憶制御手段とを備えることを特徴とする医用レポート作成支援装置。
【請求項２】
前記第一記憶制御手段は、統合所見文表示領域の各所見文の並び順を示す情報を記憶媒体に記憶させ、
前記表示制御手段は、並び順を示す情報に従って統合所見文表示領域の各所見文を並べることを特徴とする請求項１に記載の医用レポート作成支援装置。
【請求項３】
統合所見文表示領域の各所見文の並び順の変更を受け付ける第一操作入力制御手段を備え、
前記表示制御手段は、前記第一操作入力制御手段を通じた並び順の変更指示に応じて統合所見文表示領域の各所見文の並び順を変更し、
前記第一記憶制御手段は、並び順の変更指示に応じて並び順を示す情報を更新することを特徴とする請求項２に記載の医用レポート作成支援装置。
【請求項４】
所見文入力領域は、複数の臓器毎、各臓器の様態、病変の詳細といった複数の所見項目毎に所見文を入力することが可能な構成であり、
前記第一記憶制御手段は、臓器単位、所見項目単位で所見文を識別可能なように所見ＩＤを付し、
前記第一操作入力制御手段は、臓器単位、所見項目単位で所見文の並び順の変更を受け付け、
前記表示制御手段は、前記第一操作入力制御手段を通じた並び順の変更指示に応じて統合所見文表示領域の各所見文の並び順を臓器単位、所見項目単位で変更することを特徴とする請求項３に記載の医用レポート作成支援装置。
【請求項５】
前記表示制御手段は、前記第一操作入力制御手段で並び順の変更を指示された所見文の入力に使用した所見文入力領域を表示させることを特徴とする請求項３または４に記載の医用レポート作成支援装置。
【請求項６】
前記第一記憶制御手段は、所見文入力領域の選択入力状態のデータを所見ＩＤと関連付けて記憶させ、
前記表示制御手段は、選択入力状態を再現した所見文入力領域を表示させることを特徴とする請求項５に記載の医用レポート作成支援装置。
【請求項７】
所見文入力領域の選択入力状態の典型的パターンのデータを記憶媒体に記憶させる第二記憶制御手段と、
典型的パターンを選択させるための第二操作入力制御手段とを備え、
前記表示制御手段は、前記第二操作入力制御手段により選択された典型的パターンで示す選択入力状態の所見文入力領域を表示させることを特徴とする請求項１ないし６のいずれかに記載の医用レポート作成支援装置。
【請求項８】
前記第二操作入力制御手段は、典型的パターンのデータの新規追加、修正、削除を受け付け、
前記第二記憶制御手段は、前記第二操作入力制御手段を通じた操作指示に応じて典型的パターンのデータを更新することを特徴とする請求項７に記載の医用レポート作成支援装置。
【請求項９】
前記第二記憶制御手段は、典型的パターンのデータを医師毎に記憶させることを特徴とする請求項７または８に記載の医用レポート作成支援装置。
【請求項１０】
所見文入力領域は、過去の医用レポートをコピー利用して、過去の医用レポートの作成時の選択入力状態を再現して現在の医用レポートの作成に使用することが可能であることを特徴とする請求項１ないし９のいずれかに記載の医用レポート作成支援装置。
【請求項１１】
前記表示制御手段は、各所見文を区別して表示させることを特徴とする請求項１ないし１０のいずれかに記載の医用レポート作成支援装置。
【請求項１２】
前記表示制御手段は、所見文入力領域を介して直前に入力された所見文を、他の所見文と区別して表示させることを特徴とする請求項１１に記載の医用レポート作成支援装置。
【請求項１３】
所見文入力領域は、複数の臓器毎、各臓器の様態、病変の詳細といった複数の所見項目毎に所見文を入力することが可能な構成であり、
前記表示制御手段は、所見文入力領域を介して直前に入力された所見文と同じ所見項目に属する所見文を、他の所見文と区別して表示させることを特徴とする請求項１１または１２に記載の医用レポート作成支援装置。
【請求項１４】
全臓器、または臓器の様態、病変の詳細といった各所見項目に異常がない旨を受け付ける第三操作入力制御手段を備えることを特徴とする請求項１ないし１３のいずれかに記載の医用レポート作成支援装置。
【請求項１５】
医用レポートを構成する所見文を分解した複数の語句の一部を入力語句として選択入力させるテンプレート入力領域を含む複数の所見文入力領域、および複数の所見文入力領域を介して入力された各所見文を統合した統合所見文表示領域を表示制御手段によりディスプレイに表示させる表示ステップと、
記憶制御手段により、各所見文を識別するための所見ＩＤを付して各所見文のデータを記憶媒体に記憶する記憶ステップとを備えることを特徴とする医用レポート作成支援方法。
【請求項１６】
医用レポートを構成する所見文を分解した複数の語句の一部を入力語句として選択入力させるテンプレート入力領域を含む複数の所見文入力領域、および複数の所見文入力領域を介して入力された各所見文を統合した統合所見文表示領域をディスプレイに表示させる表示制御機能と、
各所見文を識別するための所見ＩＤを付して各所見文のデータを記憶媒体に記憶させる記憶制御機能とを、コンピュータに実現させることを特徴とする医用レポート作成支援プログラム。
【発明の詳細な説明】
【技術分野】
【０００１】
本発明は、テンプレート入力領域を含む複数の所見文入力領域を介して所見文の入力を受け付ける医用レポート作成支援装置、医用レポート作成支援方法、並びに医用レポート作成支援プログラムに関する。
【背景技術】
【０００２】
最近の医療現場には、カルテや医用レポート等の医用文書を電子データとして扱い、医用文書の作成や管理を容易ならしめ、医用レポートを作成する読影医等の医師の負担を減らすための様々なコンピュータシステムが導入されつつある（特許文献１参照）。
【０００３】
特許文献１には、複数の所見文の入力領域と、所見文の入力領域と一対で用意された確信度を入力するための入力領域をディスプレイに表示するレポート閲覧装置が開示されている。各入力領域の所見文に対して所見ＩＤを付し、病変毎に入力領域を分けて所見文を記述したり、所見文の入力領域を観察記録用と診断病名を含む診断結果用とに分割したりしている。また、所見文の入力領域の並び（表示）順をドラッグ操作により入れ替えることが記載されている。
【先行技術文献】
【特許文献】
【０００４】
【特許文献１】特開２００９−２３８０３８号公報
【発明の概要】
【発明が解決しようとする課題】
【０００５】
いわゆる人間ドック等の検査部位が一つの臓器にとどまらない医療検査では、医師に掛かる労力を軽減し、また患者の健康状態を総合的に判断するため、複数の臓器に関する所見文を一気にまとめて作成し、閲覧したいという要望がある。しかし、所見文には各臓器の全体的な様態、病変の大きさや形状といった詳細、読影の結果下す診断、診断の確信度等々の種類があるので、これらをまとめて一つの文章とした場合、各所見文の記憶形態や表示形態の制御が煩雑になる。また、所見文の入力が多臓器、多種にわたると、医用レポートの作成に時間が掛かるという問題もある。
【０００６】
特許文献１に記載の発明では、所見文をキーボード入力しており、各所見文も統合していない。従って、所見文の入力が多臓器、多種にわたり、各所見文を統合する場合に、各所見文の記憶形態や表示形態の制御が煩雑になる、医用レポートの作成に時間が掛かるという上記課題を解決することができない。
【０００７】
本発明は、上記課題に鑑みてなされたもので、その目的は、医用レポートの作成時間の短縮化を図り、統合した所見文を扱い易くすることにある。
【課題を解決するための手段】
【０００８】
上記目的を達成するために、本発明の医用レポート作成支援装置は、医用レポートを構成する所見文を分解した複数の語句の一部を入力語句として選択入力させるテンプレート入力領域を含む複数の所見文入力領域、および複数の所見文入力領域を介して入力された各所見文を統合した統合所見文表示領域をディスプレイに表示させる表示制御手段と、各所見文を識別するための所見ＩＤを付して各所見文のデータを記憶媒体に記憶させる第一記憶制御手段とを備えることを特徴とする。
【０００９】
前記第一記憶制御手段は、統合所見文表示領域の各所見文の並び順を示す情報を記憶媒体に記憶させる。前記表示制御手段は、並び順を示す情報に従って統合所見文表示領域の各所見文を並べる。
【００１０】
統合所見文表示領域の各所見文の並び順の変更を受け付ける第一操作入力制御手段を備えることが好ましい。前記表示制御手段は、前記第一操作入力制御手段を通じた並び順の変更指示に応じて統合所見文表示領域の各所見文の並び順を変更する。前記第一記憶制御手段は、並び順の変更指示に応じて並び順を示す情報を更新する。
【００１１】
所見文入力領域は、複数の臓器毎、各臓器の様態、病変の詳細といった複数の所見項目毎に所見文を入力することが可能な構成である。前記第一記憶制御手段は、臓器単位、所見項目単位で所見文を識別可能なように所見ＩＤを付す。前記第一操作入力制御手段は、臓器単位、所見項目単位で所見文の並び順の変更を受け付ける。前記表示制御手段は、前記第一操作入力制御手段を通じた並び順の変更指示に応じて統合所見文表示領域の各所見文の並び順を臓器単位、所見項目単位で変更する。所見項目をさらに細分化した項目単位（診断名、確信度、医師間の連絡事項等）で所見文の並び順を変更してもよい。
【００１２】
前記表示制御手段は、前記第一操作入力制御手段で並び順の変更を指示された所見文の入力に使用した所見文入力領域を表示させる。この場合、前記第一記憶制御手段により所見文入力領域の選択入力状態のデータを所見ＩＤと関連付けて記憶させておき、選択入力状態を再現した所見文入力領域を表示させることが好ましい。
【００１３】
所見文入力領域の選択入力状態の典型的パターンのデータを記憶媒体に記憶させる第二記憶制御手段と、典型的パターンを選択させるための第二操作入力制御手段とを備えることが好ましい。前記表示制御手段は、前記第二操作入力制御手段により選択された典型的パターンで示す選択入力状態の所見文入力領域を表示させる。
【００１４】
前記第二操作入力制御手段は、典型的パターンのデータの新規追加、修正、削除を受け付ける。前記第二記憶制御手段は、前記第二操作入力制御手段を通じた操作指示に応じて典型的パターンのデータを更新する。
【００１５】
前記第二記憶制御手段は、典型的パターンのデータを医師毎に記憶させる。
【００１６】
所見文入力領域は、過去の医用レポートをコピー利用して、過去の医用レポートの作成時の選択入力状態を再現して現在の医用レポートの作成に使用することが可能である。
【００１７】
前記表示制御手段は、各所見文を区別して表示させる。例えば、所見文入力領域を介して直前に入力された所見文を、他の所見文と区別して表示させる。直前に入力された所見文と同じ所見項目に属する所見文を、他の所見文と区別して表示させてもよい。
【００１８】
全臓器、または臓器の様態、病変の詳細といった各所見項目に異常がない旨を受け付ける第三操作入力制御手段を備えることが好ましい。
【００１９】
本発明の医用レポート作成支援方法は、医用レポートを構成する所見文を分解した複数の語句の一部を入力語句として選択入力させるテンプレート入力領域を含む複数の所見文入力領域、および複数の所見文入力領域を介して入力された各所見文を統合した統合所見文表示領域を表示制御手段によりディスプレイに表示させる表示ステップと、記憶制御手段により、各所見文を識別するための所見ＩＤを付して各所見文のデータを記憶媒体に記憶する記憶ステップとを備えることを特徴とする。
【００２０】
本発明の医用レポート作成支援プログラムは、医用レポートを構成する所見文を分解した複数の語句の一部を入力語句として選択入力させるテンプレート入力領域を含む複数の所見文入力領域、および複数の所見文入力領域を介して入力された各所見文を統合した統合所見文表示領域をディスプレイに表示させる表示制御機能と、各所見文を識別するための所見ＩＤを付して各所見文のデータを記憶媒体に記憶させる記憶制御機能とを、コンピュータに実現させることを特徴とする。
【発明の効果】
【００２１】
本発明によれば、テンプレート入力領域を含む複数の所見文入力領域、および複数の所見文入力領域を介して入力された各所見文を統合した統合所見文表示領域をディスプレイに表示し、各所見文を識別するための所見ＩＤを付して各所見文のデータを記憶するので、医用レポートの作成時間の短縮化を図り、統合した所見文を扱い易くすることができる。
【図面の簡単な説明】
【００２２】
【図１】医療情報システムの構成図である。
【図２】各端末およびサーバを構成するコンピュータの概略を示す構成図である。
【図３】レポート作成端末の概略構成を示す図である。
【図４】テンプレートウィンドウを示す図である。
【図５】テンプレートウィンドウを示す図である。
【図６】レポートウィンドウを示す図である。
【図７】臓器単位で所見文の並び順を変更する態様を示す説明図である。
【図８】臓器内の小分類の所見項目単位で所見文の並び順を変更する態様を示す説明図である。
【図９】統合所見文情報を示す図である。
【図１０】統合所見文情報の更新と表示制御処理の概略を示す説明図である。
【図１１】レポートのデータ構造を示す説明図である。
【図１２】レポート作成処理の流れを示すフローチャートである。
【図１３】統合所見文情報の更新と表示制御処理の流れを示すフローチャートである。
【図１４】典型的パターン保存テーブルを示す図である。
【図１５】典型的パターン保存テーブルを用いて所見文を作成する場合のテンプレートウィンドウを示す図である。
【図１６】管理ボタンをクリック選択した際のテンプレートウィンドウの表示形態を示す図である。
【発明を実施するための形態】
【００２３】
［第一実施形態］
図１において、医療情報システム２は、病院等の医療施設に構築され、診療科１０に設置される診療科端末１１、放射線検査科（以下、単に検査科という）１２に設置されるレポート作成端末１３、データベース（以下、ＤＢと略す）サーバ１４、およびこれらを通信可能に接続するネットワーク１５を備える。ネットワーク１５は、例えば、院内に敷設されたＬＡＮ（Local Area Network）である。
【００２４】
診療科端末１１は、検査や読影を依頼する診療科１０の医師（以下、依頼医という）によって操作される。診療科端末１１は、カルテ１６の閲覧や入力の他、検査科１２に対して検査を依頼するためのオーダを発行する際に利用される。診療科端末１１は、検査科１２から提供される検査画像１７やレポート１８を表示して、依頼医の閲覧に供する。
【００２５】
レポート作成端末１３は、読影を専門とする検査科１２の医師（以下、読影医という）によって操作される。レポート作成端末１３は、読影医がオーダを確認したり、レポート１８を作成したりするときに利用される。レポート作成端末１３は、画像表示ウィンドウや各種レポート編集ウィンドウ（図４〜図６参照）を表示して、レポート１８の作成を支援する。
【００２６】
ＤＢサーバ１４には、カルテＤＢ１９、画像ＤＢ２０、レポートＤＢ２１等の複数のＤＢが構築されている。カルテＤＢ１９は、患者毎のカルテ１６のデータ等を格納する。画像ＤＢ２０は、ＣＲ装置、ＣＴ装置、ＭＲＩ装置といった検査科１２のモダリティ２２によって撮影された検査画像１７のデータを格納する。レポートＤＢ２１は、レポート作成端末１３によって作成されたレポート１８のデータを格納する。
【００２７】
ＤＢサーバ１４は、ネットワーク１５を通じて、モダリティ２２から検査画像１７のデータを受信して、受信した検査画像１７のデータを画像ＤＢ２０に格納する。つまり、ＤＢサーバ１４は、いわゆるＰＡＣＳ（Picture Archiving and Communication Systems）サーバとして機能し、モダリティ２２とともにＰＡＣＳを構成する。
【００２８】
検査画像１７のデータは、個々の検査画像１７を識別するための画像ＩＤを有する。検査画像１７のデータは、例えば、ＤＩＣＯＭ（Digital Imaging and Communication in Medicine）に準拠したファイル形式で、画像ＤＢ２０に格納される。検査画像１７のファイルには、患者ＩＤ、検査ＩＤ、検査日、検査種等の項目を含む付帯情報を記録したＤＩＣＯＭタグが付与される。画像ＤＢ２０に格納された検査画像１７のデータは、ＤＩＣＯＭタグの各種項目を検索キーとして、検索が可能である。
【００２９】
ＤＢサーバ１４は、診療科端末１１およびカルテＤＢ１９とともにカルテシステムを構成する。また、ＤＢサーバ１４は、レポート作成端末１３、画像ＤＢ２０、並びにレポートＤＢ２１とともにレポート作成支援システムを構成する。レポート１８のデータは、検査画像１７のデータと同様、個々のレポート１８を識別するためのレポートＩＤを有し、レポートＩＤ、検査ＩＤ、患者ＩＤ、患者名等の検索キーによって検索が可能である。なお、本例では、各ＤＢ１９〜２１を一つのＤＢサーバ１４に構築した例で説明しているが、各ＤＢ１９〜２１を別々のＤＢサーバに構築してもよい。
【００３０】
診療科端末１１が発行するオーダは、患者ＩＤ、患者名、依頼日、依頼元、検査種（ＣＴやＭＲＩ等）、検査目的、読影の要否等の情報を記録する各種項目を有する。依頼元の項目には、内科、脳外科等の依頼医の所属、氏名、医師ＩＤといった情報が記録される。検査目的の項目には、治療中の病巣に対する治療効果を判定する治療効果判定、転移巣の有無を調べる転移検索等の情報が記録される。
【００３１】
診療科端末１１が発行したオーダは、検査科１２に設置されたオーダ受付端末（図示せず）に送信されて、検査科１２に受け付けられる。オーダ受付端末は、受信したオーダに検査ＩＤを付与して、オーダのデータを管理する。検査ＩＤは、受付完了通知とともにオーダ受付端末から診療科端末１１に送信される。検査科１２のスタッフ（検査技師）は、オーダ受付端末で受信したオーダに基づいて、モダリティ２２による撮影を行う。
【００３２】
読影が必要な場合（オーダの読影の要否の項目が要の場合）には、検査ＩＤが付与されたオーダが、オーダ受付端末からレポート作成端末１３に送信される。読影医は、レポート作成端末１３を介してオーダを確認し、画像ＤＢ２０から読影の対象となる検査画像１７のデータを読み出す。そして、読み出した検査画像１７の読影結果をレポート１８にまとめる。治療効果判定といった病変の経過観察を検査目的とする場合は、当該患者の前回のレポート１８をコピー利用し、前回と異なる部分を修正する等してレポート１８を作成する。
【００３３】
レポート１８の作成が完了すると、読影医は、オーダ発行元の診療科端末１１に対して、レポート作成端末１３を通じて作成完了通知を送信する。作成完了通知には、検査画像１７やレポート１８が格納される各ＤＢ２０、２１内のアドレスが含まれている。依頼医は、診療科端末１１を通じて作成完了通知に含まれるアドレスにアクセスして、検査画像１７やレポート１８を閲覧する。
【００３４】
各端末１１、１３およびＤＢサーバ１４は、それぞれ、パーソナルコンピュータ、サーバ用コンピュータ、ワークステーションといったコンピュータをベースに、オペレーティングシステム等の制御プログラムや、クライアントプログラム又はサーバプログラムといったアプリケーションプログラムをインストールして構成される。
【００３５】
図２において、各端末１１、１３およびＤＢサーバ１４を構成するコンピュータは、基本的な構成は略同じであり、それぞれ、ＣＰＵ３０、メモリ３１、ストレージデバイス３２、ＬＡＮポート３３、およびコンソール３４を備えている。これらはデータバス３５を介して相互接続されている。
【００３６】
ストレージデバイス３２は、例えば、ＨＤＤ（Hard Disk Drive）である。ストレージデバイス３２には、制御プログラムやアプリケーションプログラム（以下、ＡＰという）３６が格納される。また、レポート作成端末１３のストレージデバイス３２には、各パネル５０、５１、用語選択ボタン５２、プルダウンメニュー５５の選択状態や入力ボックス５４、５６（いずれも図４、図５参照）の入力状態（以下、まとめて選択入力状態という）に応じて所見文を作成するための所見文作成用定義や描画データが格納される。描画データは、ディスプレイ３７に表示する各種操作画面のＧＵＩ（Graphical User Interface）の種類、配置、大きさ、色等を規定したものである。
【００３７】
さらに、ＤＢサーバ１４には、プログラムを格納するＨＤＤとは別に、ＤＢ用のストレージデバイス３２として、例えば、ＨＤＤを複数台連装したディスクアレイが設けられる。ディスクアレイは、ＤＢサーバ１４の本体に内蔵されるものでもよいし、本体とは別に設けられ、本体にケーブルやネットワークを通じて接続されるものでもよい。
【００３８】
メモリ３１は、ＣＰＵ３０が処理を実行するためのワークメモリである。ＣＰＵ３０は、ストレージデバイス３２に格納された制御プログラムをメモリ３１へロードして、プログラムに従った処理を実行することにより、コンピュータの各部を統括的に制御する。メモリ３１には、選択入力状態のデータと統合所見文情報８５（図９参照）のデータが一時記憶される。
【００３９】
ＬＡＮポート３３は、ネットワーク１５との間の伝送制御を行うネットワークインタフェースである。コンソール３４は、ディスプレイ３７と、キーボードやマウス等の入力デバイス３８とからなる。
【００４０】
診療科端末１１には、ＡＰ３６として、カルテ１６の閲覧や編集を行うカルテ用ソフトウエア、検査画像１７やレポート１８の閲覧を行うビューアソフトウエアといったクライアントプログラムがインストールされる。クライアントプログラムが起動されると、診療科端末１１のディスプレイ３７には、ＧＵＩによる操作画面が表示される。操作画面には、カルテＤＢ１９、画像ＤＢ２０、レポートＤＢ２１から、それぞれ読み出されたカルテ１６、検査画像１７、レポート１８を表示する表示画面が含まれる。
【００４１】
診療科端末１１には、入力デバイス３８を通じて、カルテ１６の入力・編集の指示や、オーダの入力・発行の指示といった操作指示が入力される。入力されたカルテ１６やオーダのデータは、カルテＤＢ１９に格納される。
【００４２】
レポート作成端末１３には、ＡＰ３６として、レポート作成支援を行うレポート編集用のクライアントプログラムがインストールされている。レポート作成端末１３は、レポート編集用のクライアントプログラムによって、検査画像１７の表示処理と、レポート１８の編集処理とを行う。ＤＢサーバ１４には、ＡＰ３６として、クライアントである各端末１１、１３からの要求に応じて処理を実行し、処理結果を応答するサーバプログラムがインストールされている。
【００４３】
図３において、レポート作成端末１３のＣＰＵ３０は、レポート編集用のクライアントプログラムを起動すると、コンソール制御部（表示制御手段、操作入力制御手段に相当）４０、ＤＢアクセス部４１、編集処理部（記憶制御手段に相当）４２、およびオーダ取得部４３として機能する。オーダ取得部４３は、オーダ受付端末からネットワーク１５を介してオーダを取得する。取得したオーダは、例えば、レポート作成端末１３のストレージデバイス３２に設けられたオーダテーブル（図示せず）に登録される。
【００４４】
レポート作成端末１３は、ＣＰＵ３０が設けられた端末本体に、二台のディスプレイ３７ａ、３７ｂを接続した構成である。一台のディスプレイ３７ａには、検査画像１７の観察用に使用される画像表示ウィンドウが出力される。もう一台のディスプレイ３７ｂには、レポート１８の作成に使用される各種レポート編集ウィンドウが出力される。
【００４５】
画像表示ウィンドウおよびレポート編集ウィンドウは、ＧＵＩによる操作画面を構成する。コンソール制御部４０は、入力デバイス３８の操作に応じた描画データをストレージデバイス３２から読み出し、読み出した描画データに基づいてこれらの操作画面を各ディスプレイ３７ａ、３７ｂに出力する。コンソール制御部４０は、操作画面を通じて、入力デバイス３８からの操作指示の入力を受け付ける。
【００４６】
画像表示ウィンドウおよびレポート編集ウィンドウは、連動して起動する。レポート編集ウィンドウから、読影対象の検査画像１７が含まれる検査ＩＤが入力されると、コンソール制御部４０は、ＤＢアクセス部４１を通じて、検査ＩＤに対応する検査画像１７のデータを画像ＤＢ２０から取得する。コンソール制御部４０は、取得した検査画像１７をディスプレイ３７ａに出力する際に、画像表示ウィンドウを起動する。
【００４７】
画像表示ウィンドウには、超音波診断装置で撮影された超音波画像、あるいはＣＲ装置で撮影された放射線による透視画像や、ＣＴ装置やＭＲＩ装置で撮影された断層画像、断層画像に基づいて生成される三次元画像といった各種の検査画像１７が表示される。画像表示ウィンドウは、一画面に六コマの断層画像を配列して表示するというように、複数の検査画像１７を同時に表示することが可能である。画像表示ウィンドウには、操作ボタン、リストボックス、アイコンといった、ＧＵＩを構成する各種の操作ツールが設けられている。こうした操作ツールを通じて、入力デバイス３８からの各種の操作指示が入力される。
【００４８】
ＤＢアクセス部４１は、コンソール制御部４０や編集処理部４２からの指令に基づいて、ＤＢサーバ１４に対する処理要求の送信と処理結果の受信とを行う。画像ＤＢ２０に対する処理要求には、検査ＩＤや画像ＩＤといった情報を検索キーとして、検査画像１７を検索するための検索要求がある。レポートＤＢ２１に対する処理要求には、作成したレポート１８のデータを格納するための格納要求と、作成したレポート１８のデータや、作成途中のレポート１８のデータの検索要求とがある。
【００４９】
ＤＢアクセス部４１は、格納要求の対象となるデータを、編集処理部４２から受け取り、ＤＢサーバ１４へ送信する。また、検索要求の対象となるデータを、ＤＢサーバ１４から受信して、コンソール制御部４０に引き渡す。
【００５０】
ＤＢサーバ１４のＣＰＵ３０は、サーバプログラムを実行することにより、検査画像１７、およびレポート１８のデータの格納処理部および検索処理部として機能する。格納処理部は、レポート作成端末１３やモダリティ２２といったクライアントからの各データの格納要求に応じて、各ＤＢ１９〜２１へのデータの格納処理を実行する。検索処理部は、診療科端末１１、レポート作成端末１３からの各データの配信要求に応答して、要求されたデータを各ＤＢ１９〜２１から検索・抽出して、抽出したデータを要求元へ配信する。
【００５１】
レポート編集ウィンドウには、図４、図５に示すテンプレートウィンドウ４５ａ、４５ｂ等と、図６に示すレポートウィンドウ６５とがある。図４、図５において、テンプレートウィンドウ４５ａ、４５ｂは、基本的な構成は同じであり、用語選択入力領域４６、その他所見入力領域４７、診断名入力領域４８、およびその他診断入力領域４９から構成されている。これら各領域４６〜４９は、ＧＵＩを構成する各種の操作ツールである。こうした操作ツールを通じて、入力デバイス３８からの各種の操作指示が入力される。
【００５２】
用語選択入力領域４６は、マウスのクリック操作によって、読影医が検査画像１７を観察して認識した、病変の状態等の観察記録、すなわち所見を表す文（以下、所見文という）を入力するための操作ツールであり、テンプレート式操作ツールとも呼ばれる。用語選択入力領域４６は、「肝臓」、「胆管」といった臓器別の大分類パネル５０と、小分類パネル５１とを有する。小分類パネル５１は、「肝臓の形態」、「腫瘤性病変」といった、臓器毎に所見として記入されるべき項目を類型化した所見項目を有する。各パネル５０、５１は、タブによって切り替え選択が可能である。図４、図５では、大分類パネル５０として「肝臓」が選択され、図４では小分類パネル５１として「肝臓の形態」が、図５では「腫瘤性病変」がそれぞれ選択されている。
【００５３】
用語選択入力領域４６には、複数の用語選択ボタン５２が設けられている。用語選択ボタン５２は、所見項目をさらに細分化した、「辺縁」、「腫大」、「部位」、「大きさ」、「形状」等々の観察項目毎に、横並びに配列されている。例えば、図４の「辺縁」の観察項目には、「鋭角」、「やや鈍化」、「鈍化」、図５の「形状」の観察項目には、「類円形」、「不整形」、「塊状」、「び浸性」といった入力語句がある。用語選択ボタン５２の用語には、各観察項目で使用される頻度が高い医療用語が使用されている。また、用語選択ボタン５２の用語は全て、所見項目、観察項目の程度や形状を表し、所見項目、観察項目を修飾する語句である。
【００５４】
所望の用語選択ボタン５２にポインタ５３を合わせて、マウスでクリック操作を行うと、選択された用語に基づいた所見文が図６のレポートウィンドウ６５の所見文表示領域６７に表示される。
【００５５】
用語選択ボタン５２は、各観察項目について一つだけ選択することが可能である。このため、例えば「辺縁−鋭角」が選択されていて、「辺縁−やや鈍化」を選択し直した場合は、「辺縁−鋭角」の選択が自動的に解除される。
【００５６】
図４、図５の観察項目「部位」、「大きさ」には用語選択ボタン５２は配されておらず、代わりにキーボード入力を受け付ける入力ボックス５４が設けられている。入力ボックス５４は、観察項目「個数」の右端にも設けられている。入力ボックス５４には、「右葉」、「左葉」、「Ｓ１」〜「Ｓ８」等の石灰化、腫瘤性病変の場所を示す語句、「１５」、「１０」、「３」等の大きさ、箇所を表す数値がキーボード操作により入力可能である。観察項目「個数」の右端の入力ボックス５４は、検査画像１７に写る石灰化部分や腫瘤性病変が多数あり、各石灰化部分や各病変の部位、大きさ、様態が全く同じ場合に使用される。
【００５７】
図４では、用語選択ボタン５２として、斜線で示すように「辺縁−やや鈍化」、「表面−不整」、「腫大程度−軽度」、「腫大部位−左葉」、「実質エコーレベル−低エコー」、「実質エコー密度−粗雑」、「実質エコー分布−不均一」、「石灰化有無−あり」、「形状−点状」がそれぞれ選択されている。入力ボックス５４には、「部位−左葉」、「大きさ−３０ｍｍ×２０ｍｍ」がキーボード入力されている。同様に図５では、「形状−不整形」、「内部エコー−低エコー」、「エコーパターン−混合性」、「均一性−不均一」、「血流信号−僅か」がクリック選択され、「部位−Ｓ４」、「大きさ−２０ｍｍ×１０ｍｍ」がキーボード入力されている。
【００５８】
なお、図４の観察項目「萎縮程度」、図５の「境界」、「辺縁」等で示すように、用語選択ボタン５２、入力ボックス５４は、全て選択入力されていなくともよい。選択入力されないものは、所見文が作成されないだけである。
【００５９】
診断名入力領域４８には、確信度入力用のプルダウンメニュー５５、および診断名入力用の入力ボックス５６が設けられている。プルダウンメニュー５５の横の逆三角の印をクリックすると、「確定」、「疑い」、「除外」の確信度の度合いを示す選択肢がプルダウン表示される。「確定」は確信度が比較的高い場合、「疑い」は「確定」よりも確信度が低く、「確定」とは言い切れない場合、「除外」は、確信度は低いが念のため留意する必要がある場合にそれぞれ選択される。入力ボックス５６には、読影の結果導かれる診断名が読影医により入力される。図４では確信度「疑い」が選択され、入力ボックス５６には診断名「アルコール性肝硬変」が入力され、図５では確信度「疑い」、診断名「肝腫瘤（その他・不明）」が入力されている。
【００６０】
その他所見入力領域４７、およびその他診断入力領域４９には、用語選択入力領域４６や診断名入力領域４８では表現しきれない所見や診断に関する自然文入力用の入力ボックス５７、５８が配されている。これら各領域４７、４９は、読影医から依頼医への連絡事項を記入するといった簡単なメモ機能としても使用可能である。特記する事項がない場合は、図４に示すように入力ボックス５７、５８に何も入力しなくとも差し支えない。図５では、その他所見入力領域４７の入力ボックス５７に「肝臓腫瘤のその他の所見です。」、その他診断入力領域４９の入力ボックス５８に「肝臓腫瘤のその他の診断です。」がそれぞれキーボード入力されている。
【００６１】
テンプレートウィンドウ４５ａ、４５ｂの上部には、全臓器正常ボタン５９が配されている。また、用語選択入力領域４６の上部には、異常なしボタン６０が設けられている。全臓器正常ボタン５９は、検査画像１７を観察して全臓器に病変等が認められず正常であると読影医が判断した場合にクリック選択される。同様に異常なしボタン６０は、小分類パネル５１で選択した所見項目について、異常がないと判断した場合にクリック選択される。これら各ボタン５９、６０がクリック選択された場合の所見文は、例えば「全臓器正常です。」、「○○（所見項目）について異常ありません。」となる。
【００６２】
図４、図５では、大分類パネル５０で「肝臓」が選択されたときの「肝臓の形態」、「腫瘤性病変」の各小分類パネル５１のテンプレートウィンドウ４５ａ、４５ｂを例示したが、「胆嚢」、「腎臓」等の他の大分類パネル５０にも各種小分類パネル５１があり、これに対応したテンプレートウィンドウも各種設けられている。
【００６３】
ここで、観察項目「腫大」と「萎縮」に関する節は、どの部位（肝全体、右葉、または左葉）に、どの程度（軽度、中等度、または高度）の腫大、または萎縮があり、選択した部位以外に腫大、または萎縮がないこと、もしくは、肝のどの部位にも腫大、または萎縮がないこと、のいずれかの意味の記述を想定している。
【００６４】
ところが、本例では、「腫大程度」と「腫大部位」、および「萎縮程度」と「萎縮部位」の用語選択ボタン５２を、テンプレートウィンドウ４５ａに同時に表示している。この場合、「程度−なし」を選択して、「部位−右葉、または左葉」を選択することも可能である。もしこのような選択状態となると、右葉、または左葉の一方に腫大、または萎縮がないことは分かるが、右葉、または左葉の他方の腫大、または萎縮の有無が不明確になってしまう。
【００６５】
そこで、上記の如く観察項目に「なし」の選択肢が混在する場合は、所見文が不明確とならないように予め所見文作成のルールを決めておく。例えば、所見文作成用定義の登録順が後の観察項目の形式を採用する。上記の例でいくと、所見文作成用定義の登録順を「部位」、「程度」とし、登録順が後の「程度」の「なし」を採用する。従って、「程度−なし」が選択されていた場合は、「部位」に何が選択されていても、所見文は、「腫大（萎縮）はなく、」、もしくは「腫大（萎縮）はありません。」となる。
【００６６】
もちろん、観察項目に否定形、肯定形の使用形式が混在しないような対策を講じてもよい。例えば、「部位」と「程度」の用語選択ボタン５２を、テンプレートウィンドウ４５ａに同時に表示せずに、最初は「程度」の用語選択ボタン５２のみを表示しておく。そして、「なし」以外の「軽度」、「中等度」、「高度」のいずれかが選択された場合に、「部位」の用語選択ボタン５２を表示する。図４の観察項目「肝内脈管異常」、「肝臓の石灰化」や図５の「浸潤」等も同様であり、ここでは用語選択ボタン５２の「あり」が選択されなければ以降の観察項目を表示しない例を示している。但し、用語選択ボタン５２の表示・非表示が切り替わると、煩わしさを感じる読影医もいるため、全観察項目の用語選択ボタン５２を最初から同時に表示する本例を採用することが好ましく、これらの態様を読影医が選択可能に構成することが、さらに好ましい。
【００６７】
レポートウィンドウ６５は、テンプレートウィンドウ４５と連動して起動する。図６において、レポートウィンドウ６５は、基本情報表示領域６６、所見文表示領域６７、診断名表示領域６８、および操作ボタン領域６９を有する。
【００６８】
基本情報表示領域６６には、読影医名「富士富士男」、患者名「富永士郎」、検査日（検査画像１７の撮影日）「２０１０／８／２５（２０１０年８月２５日）」、検査種別「超音波」、依頼科「内科」といった基本情報が表示される。これらの基本情報は、オーダから読み出される。
【００６９】
基本情報表示領域６６の上部には、過去レポートボタン７０と参照画像ボタン７１が設けられている。過去レポートボタン７０は、過去レポート１８をコピー利用する際に選択される。参照画像ボタン７１は、ディスプレイ３７ａに検査画像１７を表示させる際に選択される。
【００７０】
過去レポートボタン７０をクリック選択すると、レポートＩＤや患者ＩＤを検索キーとして入力するためのポップアップウィンドウ（図示せず）が表示される。ＤＢアクセス部４１は、ポップアップウィンドウに入力された検索キーでレポートＤＢ２１に格納された過去レポート１８のデータを検索する検索要求をＤＢサーバ１４に送信する。ＤＢサーバ１４の検索処理部は、検索キーと一致する過去レポート１８のデータをレポートＤＢ２１から検索・抽出し、抽出したデータを検索結果としてＤＢアクセス部４１に配信する。コンソール制御部４０は、ＤＢアクセス部４１から過去レポート１８のデータを受け取り、該データの選択入力状態、所見文や診断名を再現したテンプレートウィンドウ４５、レポートウィンドウ６５をディスプレイ３７ｂに表示させる。
【００７１】
なお、オーダ取得部４３で受け付けたオーダの患者ＩＤや検査目的等の情報を検索キーとし、当該患者に対して以前に同じ条件で検査が行われているか否かを過去のオーダから検索することにより、そのオーダが初回の検査であるか経過観察等の再検査であるかを判定してもよい。初回の検査と判定した場合は新規にレポート１８を作成するためのテンプレートウィンドウ４５、レポートウィンドウ６５を表示させ、再検査と判定した場合は前回のレポート１８を自動検索して、選択入力状態、所見文や診断名を再現したテンプレートウィンドウ４５、レポートウィンドウ６５を表示させる。過去レポート１８との相違点のみを修正すれば済むので、迅速にレポート１８を作成することが可能となる。
【００７２】
参照画像ボタン７１をクリック選択すると、検査ＩＤを検索キーとする検索要求がＤＢアクセス部４１からＤＢサーバ１４に送信される。ＤＢサーバ１４の検索処理部は、検索キーと一致する検査画像１７のデータを画像ＤＢ２０から検索・抽出する。抽出された検査画像１７のデータは、ＤＢアクセス部４１に配信され、コンソール制御部４０によりディスプレイ３７ａの画像表示ウィンドウに表示される。
【００７３】
所見文表示領域６７には、テンプレートウィンドウ４５の各入力領域４６〜４９で選択入力された用語や自然文に基づいた所見文が表示される。所見文表示領域６７に表示された所見文は、クリック選択してキーボードを操作することで、修正加筆することも可能である。
【００７４】
用語選択入力領域４６に基づく所見文は、一個以上の用語選択ボタン５２を選択したときに所見文表示領域６７に表示される。所見文は、用語選択ボタン５２が追加選択される毎に表示が更新される。また、メモリ３１の選択入力状態のデータも、用語選択ボタン５２が追加選択される毎に更新される。追加選択は、例えば、二つの観察項目の用語選択ボタン５２が選択されていて、三つ目の観察項目の用語選択ボタン５２を選択する場合と、同一の観察項目で用語選択ボタン５２の選択をし直す場合とを含む。
【００７５】
コンソール制御部４０は、各パネル５０、５１のテンプレートウィンドウ４５の選択入力状態に基づく所見文を全て所見文表示領域６７に表示させる。同じ臓器（大分類パネル５０）の所見文は、先頭に「○○（臓器名）：」が付されて一段落にまとめられる。同じ臓器の一段落の所見文のうち、各テンプレートウィンドウ４５で選択入力された所見文もテンプレートウィンドウ４５毎にまとめて表示される。
【００７６】
コンソール制御部４０は、テンプレートウィンドウ４５で選択入力した順番通りに、所見文表示領域６７に所見文を表示させる。例えば大分類パネル５０の「腎臓」を選択して所見を入力した後、「肝臓」を選択して入力した場合、「腎臓」のテンプレートウィンドウ４５に基づく所見文の段落が先、「肝臓」の所見文が後に表示される。また、図４のテンプレートウィンドウ４５ａで選択入力した後、小分類パネル５１のタブを切り替えて図５のテンプレートウィンドウ４５ｂで選択入力した場合、テンプレートウィンドウ４５ａの選択入力状態に基づく所見文が先、テンプレートウィンドウ４５ｂの所見文が後に表示される。但し、各テンプレートウィンドウ４５の各入力領域４６〜４９については、選択順序に関わらず用語選択入力領域４６、その他所見入力領域４７、診断名入力領域４８、およびその他診断入力領域４９の順に所見文が表示される。
【００７７】
コンソール制御部４０は、テンプレートウィンドウ４５で直前に選択入力された所見文、および入力中のテンプレートウィンドウ４５で選択入力された所見文と、他の所見文を区別して所見文表示領域６７に表示させる。区別の仕方は、例えば直前に選択入力された所見文を緑色、入力中のテンプレートウィンドウ４５で選択入力された所見文を青色、その他の所見文を黒色で表示する。斜体や太字、フォント、下線等で区別してもよい。
【００７８】
図６では、図４に示す選択入力状態に対応した所見文として、大分類パネル５０の選択状態を示す「肝臓：」の後に「辺縁やや鈍、表面不整。左葉が軽度腫大しています。実質エコーは不均一、密度粗雑で低エコーです。左葉に径３０×２０ｍｍ、点状の石灰化を認めます。アルコール性肝硬変を疑います。」、図５に示す選択入力状態に対応した所見文として、「Ｓ４に２０×１０ｍｍ大の不整形、内部低エコーで不均一、混合性の腫瘤を認めます。血流信号は僅かです。肝臓腫瘤のその他の所見です。肝腫瘤（その他・不明）を疑います。肝臓腫瘤のその他の診断です。」が一段落で所見文表示領域６７に表示された状態を示している。
【００７９】
後者の図５に示す選択入力状態に対応した所見文のうち、「Ｓ４に２０×１０ｍｍ大の不整形、内部低エコーで不均一、混合性の腫瘤を認めます。血流信号は僅かです。」は緑色（粗いドットで示す）、「肝臓腫瘤のその他の所見です。肝腫瘤（その他・不明）を疑います。肝臓腫瘤のその他の診断です。」は青色（細かいドットで示す）、その他の所見文は黒色で表示されている。つまり、図６は、テンプレートウィンドウ４５ｂの用語選択入力領域４６を用いて「Ｓ４に２０×１０ｍｍ大の不整形、内部低エコーで不均一、混合性の腫瘤を認めます。血流信号は僅かです。」という所見文を入力した直後の状態を示している。
【００８０】
所見文表示領域６７に表示された所見文は、臓器単位、または所見項目単位でクリック選択することが可能である。所見文表示領域６７の同じ臓器の一段落の所見文にポインタ５３を合わせてクリックすると、該一段落の所見文が選択され、さらにその中の所望の所見文にポインタ５３を合わせてクリックすると、該所見文が選択される。クリック選択された所見文は、他の所見文と区別して表示（例えば赤色表示）される。
【００８１】
診断名表示領域６８には、各テンプレートウィンドウ４５の診断名入力領域４８の入力ボックス５６に入力された診断名が羅列される。所見文表示領域６７の場合と同様に、コンソール制御部４０は、同じ臓器（大分類パネル５０）の診断名をまとめて診断名表示領域６８に表示させる。また、コンソール制御部４０は、テンプレートウィンドウ４５で入力した順番通りに、診断名表示領域６８に診断名を表示させる。本例では、テンプレートウィンドウ４５ａで入力された「アルコール性肝硬変」が先に、テンプレートウィンドウ４５ｂで入力された「肝腫瘤（その他・不明）」が後に表示されている。
【００８２】
所見文表示領域６７の横には、臓器単位表示変更ボタン７２ａ、７２ｂと臓器内表示変更ボタン７３ａ、７３ｂとが設けられている。臓器単位表示変更ボタン７２ａ、７２ｂは、同じ臓器の一段落の所見文毎並び順を変更する際、臓器内表示変更ボタン７３ａ、７３ｂは、所見項目単位で所見文の並び順を変更する際に操作される。クリック選択した一段落の所見文、または各所見項目の所見文の並び順を上に変更する場合は臓器単位表示変更ボタン７２ａ、臓器内表示変更ボタン７３ａ、下に変更する場合は臓器単位表示変更ボタン７２ｂ、臓器内表示変更ボタン７３ｂをクリック選択する。
【００８３】
図７は、「肝臓」と「腎臓」の所見文のまとまりがそれぞれ所見文表示領域６７に表示され、「肝臓」の所見文のまとまりをクリック選択した状態を示している。（Ａ）では「肝臓」の所見文が「腎臓」の後に表示されている。この状態で臓器単位表示変更ボタン７２ａをクリック選択すると、（Ｂ）に示すように「肝臓」と「腎臓」の所見文の並び順が入れ替わり、「肝臓」の所見文が「腎臓」の所見文よりも先に表示される。逆に（Ｂ）の状態で臓器単位表示変更ボタン７２ｂをクリック選択すると、「肝臓」の所見文が「腎臓」の所見文よりも後に表示される。
【００８４】
図８は、「肝臓」の所見文のうち、テンプレートウィンドウ４５ａで入力された所見文「肝全体が高度腫大しています。実質エコーは密度粗雑です。アルコール性肝硬変を疑います。」をクリック選択した状態を示している。（Ａ）ではテンプレートウィンドウ４５ａで入力された所見文がテンプレートウィンドウ４５ｂで入力された所見文「Ｓ２に境界不明瞭で内部低エコーで充実性の腫瘤を認めます。血流信号は僅かです。」よりも先に表示されている。この状態で臓器内表示変更ボタン７３ｂをクリック選択すると、（Ｂ）に示すように上記各所見文の並び順が入れ替わり、テンプレートウィンドウ４５ａで入力された所見文がテンプレートウィンドウ４５ｂで入力された所見文よりも後に表示される。逆に（Ｂ）の状態で臓器内表示変更ボタン７３ａをクリック選択すると、テンプレートウィンドウ４５ａで入力された所見文がテンプレートウィンドウ４５ｂで入力された所見文よりも先に表示される。
【００８５】
図６において、診断名表示領域６８の横にも同様に、臓器単位表示変更ボタン７４ａ、７４ｂと臓器内表示変更ボタン７５ａ、７５ｂとが設けられている。これらのボタンの機能および作用は、所見文表示領域６７の臓器単位表示変更ボタン７２ａ、７２ｂ、臓器内表示変更ボタン７３ａ、７３ｂと同様であるため説明を省略する。
【００８６】
操作ボタン領域６９には、各種操作ボタン７６〜７８が設けられている。確定ボタン７６は、レポート１８の編集を終了するためのものである。確定ボタン７６が選択されると、レポート１８のデータが確定保存される。確定保存されたレポート１８は、不正な改ざんを防止するために、編集が禁止される。一時保存ボタン７７は、レポート１８の作成を一時中断するためのものである。一時保存ボタン７７が選択されると、作成途中のレポート１８のデータが一時保存される。キャンセルボタン７８は、テンプレートウィンドウ４５およびレポートウィンドウ６５を閉じる際に選択される。
【００８７】
編集処理部４２は、各パネル５０、５１、用語選択ボタン５２等の選択入力状態を、コンソール制御部４０を通じて受け付ける。編集処理部４２は、各パネル５０、５１、用語選択ボタン５２等の選択入力状態に応じた所見文を、ストレージデバイス３２に格納された所見文作成用定義に基づいて作成する。所見文作成用定義は、用語選択入力領域４６の臓器の項目を頂点として、所見項目、観察項目、観察項目毎の語句の順にデータを階層構造でもち、各観察項目の節の所見文中の位置、および各観察項目の節内の語句の並び順を規定する。所見文作成用定義は、例えば、所見項目、観察項目毎に所見文を主部および述部に分類し、主部および述部を本体部および本体部を修飾する修飾部に分類して、所見文を構成する語句をそれぞれの部に振り分けたものである。
【００８８】
例えば、図４のテンプレートウィンドウ４５ａの観察項目「腫大」の所見文作成用定義には、述部の修飾語「○○が」（○○には「左葉」等の部位を表す語句が入る）、「○○」（○○には「軽度」等の程度を表す語句が入る）と、述部の本体部「腫大しています。」といった語句がそれぞれ登録されている。
【００８９】
用語選択ボタン５２のいずれかが選択された場合、編集処理部４２は、まず、各パネル５０、５１の選択状態に対応する、所見文作成用定義の臓器の項目、所見項目の階層を辿る。そして、選択された用語選択ボタン５２に対応する観察項目の語句を、所見文作成用定義から読み出す。編集処理部４２は、所見文作成用定義から読み出した各部の語句を、主部の修飾部、本体部、述部の修飾部、本体部の順（所見文作成用定義の並び（登録）順）に従って連結し、所見文を作成する。
【００９０】
また、編集処理部４２は、診断名入力領域４８のプルダウンメニュー５５および入力ボックス５６の選択入力状態に応じた所見文を作成する。例えばプルダウンメニュー５５で確信度「確定」が選択された場合は「○○（診断名）と診断します。」、「疑い」が選択された場合は「○○（診断名）を疑います。」等とする。なお、その他所見入力領域４７、およびその他診断入力領域４９の各入力ボックス５７、５８に入力された自然文は、編集処理部４２を介さずそのまま一つの所見文として扱われる。
【００９１】
編集処理部４２は、テンプレートウィンドウ４５の各入力領域４６〜４９の所見文のデータ（以下、所見データという）に対して、個々を識別する所見ＩＤを付し、レポート１８のデータに記録する。所見ＩＤは、どのテンプレートウィンドウのどの入力領域で入力された所見文かを示すものである。
【００９２】
所見ＩＤは、大分類（臓器）、小分類、各入力領域４６〜４９を順に示す記号で構成される。例えば大分類の「肝臓」は「ＬＩＶ」、「腎臓」は「ＫＩＤ」、小分類の「肝臓の形態」は「１」、「腫瘤性病変」は「２」、「その他」は「３」、用語選択入力領域４６は「ａ」、その他所見入力領域４７は「ｂ」、診断名入力領域４８は「ｃ」、その他診断入力領域４９は「ｄ」といった具合である。このため、テンプレートウィンドウ４５ａの用語選択入力領域４６で入力された所見文の所見ＩＤは「ＬＩＶ−１−ａ」、テンプレートウィンドウ４５ｂの診断名入力領域４８で入力された所見文の所見ＩＤは「ＬＩＶ−２−ｃ」となる。
【００９３】
編集処理部４２は、所見データの他に、オーダから読み出された検査ＩＤ、患者ＩＤ、患者名、選択入力状態といった情報を、レポート１８のデータに付加する。選択入力状態のデータは、レポート１８の確定保存時にメモリ３１に記憶されていたデータである。
【００９４】
編集処理部４２は、所見ＩＤに加えて、各所見データに対して、その所見文を入力した読影医を識別するための医師ＩＤを付加する。医師ＩＤは、レポート作成端末１３の起動時のユーザ認証の際等に読影医によって入力される。所見データは、所見ＩＤや医師ＩＤによって検索することが可能である。
【００９５】
編集処理部４２は、図９に示す統合所見文情報８５を作成し、これをメモリ３１に記憶させる。統合所見文情報８５は、所見文表示領域６７に表示される全所見文の並び順を示し、所見ＩＤを大分類、小分類、および各入力領域４６〜４９にばらして階層構造で表したものである。統合所見文情報８５は、所見ＩＤ等とともにレポート１８のデータに付加される。
【００９６】
図９に例示する統合所見文情報８５は、大分類「ＫＩＤ（腎臓）」が先頭で、その次に「ＧＡＬ（胆嚢）」、「ＬＩＶ（肝臓）」が続いており、この順番で大分類パネル５０を選択して所見文を作成したことを表している。また、大分類「ＫＩＤ」は、小分類「２」が先、「１」が後、「ＧＡＬ」、「ＬＩＶ」はともに小分類「１」が先、「２」が後に登録され、この順番で小分類パネル５１を選択して所見文を作成したことが分かる。さらに、大分類「ＫＩＤ」の小分類「２」、「ＬＩＶ」の「１」は、入力領域「ａ」〜「ｄ」の全てが登録され、各入力領域４６〜４９が全て用いられていることを表している。大分類「ＫＩＤ」の小分類「１」、「ＧＡＬ」の「２」等は、入力領域「ａ」、「ｃ」が登録され、用語選択入力領域４６と診断名入力領域４８が用いられていることが分かる。
【００９７】
フラグは、直前に入力作業を終えたテンプレートウィンドウの入力領域を表す行に立てられる。本例では大分類「ＬＩＶ」の小分類「２」の入力領域「ｃ」であり、テンプレートウィンドウ４５ｂの診断名入力領域４８の入力作業を終えた直後であることが分かる。
【００９８】
図１０において、編集処理部４２は、大分類、小分類の各テンプレートウィンドウ４５を用いて所見文を作成する毎に、統合所見文情報８５のそれまでの最後の行に新たに行を追加し、追加した行に大分類、小分類、入力領域の記号を登録して統合所見文情報８５の内容を更新する。例えばテンプレートウィンドウ４５ｂの診断名入力領域４８の入力作業を終えた後、大分類「肝臓」の小分類「その他」のテンプレートウィンドウ４５の用語選択入力領域４６を用いて所見文を作成した場合、「ＬＩＶ−２−ｃ」の行の後に小分類「３」、入力領域「ａ」を登録し、フラグをその行に立てる。
【００９９】
編集処理部４２は、臓器単位表示変更ボタン７２ａ、７２ｂ、臓器内表示変更ボタン７３ａ、７３ｂで並び順の変更が指示された大分類、または小分類の統合所見文情報８５の行を入れ替え、統合所見文情報８５の内容を変更する。図７の例の場合は大分類「ＫＩＤ」と「ＬＩＶ」の行毎、下の階層も含めて順番を入れ替え、図８の例では大分類「ＬＩＶ」の小分類「１」と「２」の行毎入れ替える。
【０１００】
コンソール制御部４０は、統合所見文情報８５に基づいて所見文表示領域６７の表示制御を行う。コンソール制御部４０は、編集処理部４２で作成した所見文、その他所見入力領域４７、およびその他診断入力領域４９の各入力ボックス５７、５８に入力された自然文を統合所見文情報８５で示す並び順に従って並べ、且つ臓器単位で一段落にまとめて所見文表示領域６７に表示させる。臓器単位表示変更ボタン７２ａ、７２ｂ、臓器内表示変更ボタン７３ａ、７３ｂで並び順の変更が指示された場合は、その指示に応じて統合所見文情報８５の内容も変更されるので、所見文表示領域６７の所見文の表示順にも反映される。
【０１０１】
コンソール制御部４０は、統合所見文情報８５のフラグが立てられた行の入力領域で選択入力された所見文を緑色、該テンプレートウィンドウで選択入力された所見文を青色、その他の所見文を黒色で所見文表示領域６７に表示させる。図９の例では、テンプレートウィンドウ４５ｂの診断名入力領域４８で選択入力された所見文が緑色、用語選択入力領域４６で選択入力された所見文が青色で表示される。
【０１０２】
なお、診断名表示領域６８の診断名についても、所見文と同様の診断名ＩＤが付され、統合所見文情報８５と同様の統合診断名情報（図示せず）が作成される。所見文の場合と同様に、編集処理部４２は統合診断名情報の更新を行い、コンソール制御部４０は統合診断名情報を参照して診断名表示領域６８の診断名の表示制御を行う。
【０１０３】
レポート１８のデータ構造を示す図１１において、レポート１８は、患者ＩＤ、患者名といった患者情報、検査ＩＤ、検査日、検査目的といった検査情報、所見情報、および前述の統合所見文情報８５等をデータとしてもつ。所見情報は、所見ＩＤ、所見データ、読影医の医師ＩＤ、選択入力状態等で構成される。レポート１８にはこの他にも、統合診断名情報、レポート１８の作成時に参照した検査画像（キー画像）の画像ＩＤやオーダの情報等が記憶されている。
【０１０４】
過去レポートボタン７０が操作されて過去レポート１８のコピー利用が指示された場合、コンソール制御部４０は、ストレージデバイス３２の描画データから、用語選択ボタン５２が選択されておらず、入力ボックス５４等に何も入力されていないプレーンな状態のテンプレートウィンドウ４５を表す描画データを読み出す。また、コピー利用する過去レポート１８の各所見情報の選択入力状態のデータを読み出して、その選択入力状態をプレーンなテンプレートウィンドウ４５に再現し、ディスプレイ３７ｂに表示させる。また、コンソール制御部４０は、コピー利用する過去レポート１８の統合所見文情報８５を読み出し、これに基づいて所見文表示領域６７の表示制御を行う。なお、診療科端末１１でレポート１８を閲覧する際も、同様に診療科端末１１のコンソール制御部で表示制御を行う。
【０１０５】
以下、上記構成による作用について、図１２、図１３に示すフローチャートを参照して説明する。依頼医は、診療科端末１１を使用してオーダを発行する。レポート作成端末１３は、診療科端末１１から発行されたオーダを、検査科１２のオーダ受付端末を経由して受信する。
【０１０６】
読影医は、レポート作成端末１３にアクセスしてオーダを確認し、レポート１８の作成を開始する。レポート編集ウィンドウがディスプレイ３７ｂに表示されると、これと連動して画像表示ウィンドウがディスプレイ３７ａに表示される。読影医は、画像表示ウィンドウで検査画像１７を観察しながら、テンプレートウィンドウ４５を用いてレポートウィンドウ６５の所見文表示領域６７にそれぞれ臓器別の所見文を入力する。
【０１０７】
所見文の入力は、用語選択ボタン５２や入力ボックス５４、プルダウンメニュー５５等のＧＵＩを選択入力することにより行われる。図１２において、用語選択ボタン５２等のＧＵＩが選択入力されると（ステップ（以下、Ｓと略す）１０でｙｅｓ）、コンソール制御部４０から編集処理部４２に、各パネル５０、５１、用語選択ボタン５２等の選択入力状態が通知される。また、選択入力状態は、コンソール制御部４０を通じてメモリ３１に送られ、メモリ３１に記憶される（Ｓ１１）。
【０１０８】
次いで、各パネル５０、５１、用語選択ボタン５２等の選択入力状態を元にした所見文作成用定義の検索が編集処理部４２で実行され、各観察項目の語句が所見文作成用定義から読み出される（Ｓ１２）。
【０１０９】
そして、読み出された各種語句が所見文作成用定義の並び順に連結され、所見文が作成される（Ｓ１３）。所見文作成用定義で作成された所見文、並びにその他所見入力領域４７、およびその他診断入力領域４９の各入力ボックス５７、５８に入力された自然文は、コンソール制御部４０に引き渡され、コンソール制御部４０の制御の下、所見文表示領域６７に表示される（Ｓ１４）。このように、読影医は、用語選択ボタン５２を選択したり入力ボックス５４に語句を入力したりしながら、所見文の入力を行う。これら一連の処理は、用語選択ボタン５２が追加選択等される度に繰り返し実行される。
【０１１０】
読影医は、所見文の入力を終えると、確定ボタン７６を選択する（Ｓ１５でｙｅｓ）。確定ボタン７６が選択されると、レポート１８のデータの格納要求がＤＢアクセス部４１からＤＢサーバ１４に送信される。レポート作成端末１３から格納要求を受信すると、ＤＢサーバ１４では、格納処理部によって、レポート１８のデータの格納処理が実行される。レポート１８のデータは、レポートＤＢ２１に格納される。以上をもって、一回のレポート１８の作成処理を終了する。
【０１１１】
図１３において、大分類、小分類パネル５０、５１の各テンプレートウィンドウ４５を用いて所見文を作成する過程で、各パネル５０、５１（テンプレートウィンドウ４５）を切り替えて新たに所見文の選択入力を行った場合（Ｓ２０でｙｅｓ）、あるいは、臓器単位表示変更ボタン７２ａ、７２ｂ、臓器内表示変更ボタン７３ａ、７３ｂで並び順の変更が指示された場合（Ｓ２１でｙｅｓ）、編集処理部４２により統合所見文情報８５の内容が更新される。また、更新された統合所見文情報８５に基づいて、コンソール制御部４０により所見文表示領域６７の表示が変更される（Ｓ２２）。
【０１１２】
レポート１８の作成が完了すると、レポート作成端末１３から、依頼医の診療科端末１１に対して、作成完了通知が送信される。依頼医は、診療科端末１１を通じてレポートＤＢ２１にアクセスして、作成完了通知に含まれるレポート１８のアドレスに基づいて、レポート１８を読み出す。診療科端末１１のディスプレイ３７には、レポート表示画面と、レポート１８に関連する検査画像１７を表示する画像表示ウィンドウが出力される。依頼医は、これらの画面を閲覧して、レポート１８の内容を確認する。
【０１１３】
以上説明したように、本発明は、複数のテンプレートウィンドウ４５および複数の入力領域４６〜４９を介して選択入力される所見文を、各テンプレートウィンドウ４５および各入力領域４６〜４９に対応付けて一まとまりの情報単位で記憶・管理するので、所見文表示領域６７の統合所見文の並び順といった表示形態を容易に制御することができる。
【０１１４】
所見文を選択してボタンを操作するだけで、臓器単位、臓器内の所見文の並べ替えが可能である。面倒な操作がいらず、統合所見文の並び順を読影医の嗜好に合わせて自由に変更することができる。所見文の並び順のバリエーションが豊富になり、読影医が特に強調したい所見文を前にもってくるといった効果的な文章構成を簡単に実現することができる。
【０１１５】
テンプレートウィンドウ４５で直前に選択入力された所見文、および入力中のテンプレートウィンドウ４５で選択入力された所見文と他の所見文を区別して表示するので、現在入力中の所見文等を一目で把握することができる。統合所見文が比較的長文の場合は特に有効である。区別して表示された所見文の内容を確認しながらテンプレートウィンドウ４５の選択入力操作が行えるので、用語選択ボタン５２の選択ミス等を即座に発見することができる。
【０１１６】
なお、所見文表示領域６７の所見文をクリック選択したときに、その所見文を選択入力したテンプレートウィンドウ４５が表示されていない場合、該テンプレートウィンドウ４５を表示することが好ましい。用語選択ボタン５２等の選択入力状態を再現して該テンプレートウィンドウ４５を表示することがより好ましい。
【０１１７】
例えば図７に示す大分類「肝臓」の一まとまりの所見文をクリック選択したとき、あるいは図８に示す大分類「肝臓」の小分類「肝臓の形態」の所見文をクリック選択したときに、大分類「腎臓」のテンプレートウィンドウ４５が表示されていた場合を考える。コンソール制御部４０は、入力デバイス３８から所見文がクリック選択された旨の操作信号を受けて、大分類「肝臓」のテンプレートウィンドウ４５ａを表すプレーンな状態の描画データとテンプレートウィンドウ４５ａの選択入力状態の一時記憶データを、ストレージデバイス３２とメモリ３１からそれぞれ読み出す。そして、大分類「腎臓」のテンプレートウィンドウ４５から、選択入力状態を再現したテンプレートウィンドウ４５ａに表示を切り替える。この状態で小分類「腫瘤性病変」に切り替えられたら、同様にメモリ３１から読み出した選択入力状態の一時記憶データに基づいて、選択入力状態を再現したテンプレートウィンドウ４５ｂを表示させる。
【０１１８】
所見文をクリック選択すると自動的に選択入力状態を再現したテンプレートウィンドウ４５が表示されるので、各パネル５０、５１を選択してテンプレートウィンドウ４５の表示を切り替える手間が省け、テンプレートウィンドウ４５の選択入力を若干手直ししたいとき等に迅速に対応することができる。
【０１１９】
［第二実施形態］
レポート作成に掛かる労力の軽減、および作成時間の短縮化をさらに促進するため、テンプレートウィンドウ４５の選択入力状態の典型的パターンをその名称等と関連付けて保存しておき、読影医による名称の指定に応じた典型的パターンを使用することで用語選択ボタン５２等を一括入力し、選択入力操作を省いてもよい。
【０１２０】
図１４において、典型的パターンの保存例を示す典型的パターン保存テーブル９０には、テンプレートウィンドウ４５の種別と、病名（典型的パターンの名称）および選択入力状態が関連付けて保存されている。典型的パターン保存テーブル９０は、ストレージデバイス３２に格納されている。
【０１２１】
テンプレートウィンドウ４５の種別は、所見ＩＤの前半部分と同様に、大分類「ＬＩＶ」等と小分類「１」、「２」とを繋げたものである。種別「ＬＩＶ−１」は、大分類「肝臓」の小分類「肝臓の形態」のテンプレートウィンドウ４５、すなわち図４のテンプレートウィンドウ４５ａであることを示している。種別「ＬＩＶ−１」の病名「アルコール性肝硬変」には、選択入力状態として「腫大程度−高度  腫大部位−肝全体  確信度−疑い診断名−アルコール性肝硬変」が登録されている。この他にも、種別「ＬＩＶ−２」の病名「肝血管筋脂肪腫」や、種別「ＫＩＤ（腎臓）−１」）の「腎結石」、「ネフローゼ症候群」、種別「ＰＡＮ（膵臓）−１」の「グルカゴノーマ」等の多数の典型的パターン（選択入力状態）が記憶されている。
【０１２２】
本実施形態のテンプレートウィンドウ４５には、図１５に示すテンプレートウィンドウ４５ａのように、一括入力用のプルダウンメニュー９５と管理ボタン９６とが設けられる。ここではテンプレートウィンドウ４５ａを例示するが、他のテンプレートウィンドウ４５にも同様にプルダウンメニュー９５と管理ボタン９６が配される。プルダウンメニュー９５は、そのテンプレートウィンドウ４５の種別に登録された典型的パターンの病名（この例では、種別「ＬＩＶ−１」の「アルコール性肝硬変」、「肝細胞癌」、「アメーバ性肝膿瘍」等）をプルダウン表示する。
【０１２３】
プルダウンメニュー９５が操作されて病名が選択された場合、コンソール制御部４０は、指定された病名に対応する選択入力状態のデータを典型的パターン保存テーブル９０から読み出し、読み出した選択入力状態に従ってテンプレートウィンドウ４５の表示を切り替える。例えば「アルコール性肝硬変」が選択された場合、図示するように用語選択ボタン５２の「腫大程度」の「高度」、「腫大部位」の「肝全体」、プルダウンメニュー５５の「確信度」の「疑い」がそれぞれ選択され、入力ボックス５６に「アルコール性肝硬変」が入力されたテンプレートウィンドウ４５ａを表示させる。
【０１２４】
管理ボタン９６は、典型的パターン保存テーブル９０の内容を変更する際に操作される。管理ボタン９６をクリック選択すると、図１６に示すように、入力ボックス９７、プルダウンメニュー９８、保存ボタン９９、上書きボタン１００、および削除ボタン１０１がテンプレートウィンドウ４５ａに表示される。
【０１２５】
用語選択ボタン５２等を選択入力した後、入力ボックス９７に所望の病名をキーボード入力して保存ボタン９９をクリック選択すると、編集処理部４２により典型的パターン保存テーブル９０の該当する種別に行が新設される。そして、入力ボックス９７に入力された病名と、そのときメモリ３１に記憶されている選択入力状態のデータが新設された行に登録される。
【０１２６】
プルダウンメニュー９８は、プルダウンメニュー９５と同様に、当該テンプレートウィンドウ４５の種別に登録された典型的パターンの病名をプルダウン表示する。プルダウンメニュー９８が操作されて病名が選択され、且つ上書きボタン１００がクリック選択された場合、編集処理部４２は、典型的パターン保存テーブル９０の当該病名の選択入力状態のデータを、そのときメモリ３１に記憶されている選択入力状態のデータに変更する。また、プルダウンメニュー９８が操作されて病名が選択され、且つ削除ボタン１０１がクリック選択された場合、編集処理部４２は、典型的パターン保存テーブル９０の当該病名の行を削除する。
【０１２７】
テンプレートウィンドウ４５の選択入力状態の典型的パターンを適宜読み出して使用すれば、用語選択ボタン５２等の選択入力を多少の追加修正程度で済ませることができる。また、典型的パターンを読影医が自由に追加、修正、削除することが可能な構成とすることで、さらに利便性を高めることができる。
【０１２８】
なお、典型的パターンは、上記のように読影医に新規追加させてもよいし、デフォルトである程度の数を予め用意しておいてもよい。また、典型的パターン保存テーブル９０に保存する選択入力状態のデータは用語選択ボタン５２の選択入力状態に限らず、入力ボックス５４に入力する大きさ等の数値であってもよい。
【０１２９】
レポート作成端末１３の起動時のユーザ認証の際等に読影医によって入力される医師ＩＤを用いて、典型的パターン保存テーブル９０を読影医毎に管理してもよい。各読影医に特化した典型的パターンを提示することができる。
【０１３０】
なお、診断名入力領域に追加ボタン等のＧＵＩを設け、追加ボタンをクリックして確信度、診断名を複数選択入力可能に構成してもよい。同様に、用語選択入力領域の「部位」、「大きさ」といった観察項目を追加して、複数の病変の様態を１つの用語選択入力領域で入力可能に構成してもよい。あるいは、用語選択入力領域自体を新規追加したり、選択入力状態をコピーして用語選択入力領域を追加することを可能としてもよい。
【０１３１】
各表示変更ボタンを設ける代わりに、臓器単位、所見項目単位で所見文をドラッグアンドドロップすることで並び順を変更可能としてもよい。また、所見項目を細分化した観察項目、あるいは用語選択入力領域、その他所見入力領域等の領域毎に所見文の並び順を変更可能としても可である。さらに、統合所見文情報を作成する代わりに、所見ＩＤに所見文の並び順の情報を含めてもよい。
【０１３２】
上記各実施形態では、入力デバイスとして、キーボードやマウスを例に説明したが、入力デバイスとしてマイクを用いて、用語選択ボタン５２の選択を音声によって受け付けてもよい。
【０１３３】
上記各実施形態では、検査科１２で実施される検査を例示して説明したが、検査種はこれらに限定されるものではなく、ＰＥＴ（Positron Emission Tomography）検査、内視鏡検査等でもよい。また、レポート１８として、検査画像１７の読影結果をまとめたレポートを例示したが、検査画像以外の検査データに対する所見をまとめたレポートでもよい。検査画像以外の検査データとしては、例えば、病理検査といった検体検査や生理検査等で得られる数値データ、あるいは心電図等の波形図がある。また、異なる検査種の検査データ等、種々のデータに関する所見が記入されるレポートでもよい。
【０１３４】
上記各実施形態では、レポート作成端末が一台の例で説明したが、レポート作成端末は複数台でもよい。また、典型的パターン保存テーブルをＤＢサーバに格納し、ＤＢアクセス部を通じて典型的パターン保存テーブルのデータをレポート作成端末に取り込んでもよい。
【０１３５】
また、上記各実施形態のように、クライアント（レポート作成端末）と、サーバ（ＤＢサーバ）とからなるクライアントサーバ型の情報システムの場合には、レポート編集用のクライアントプログラムは、専用のプログラムを使用してもよいし、ＨＴＴＰ（Hyper Text Transfer Protocol）といった、ＷＷＷ（World Wide Web）のプロトコルに対応した汎用的なブラウザを使用してもよい。
【０１３６】
専用のプログラムを使用する場合には、レポート編集ウィンドウは、専用のプログラムで定義された画面データに基づいて生成される。汎用的なブラウザを使用する場合には、例えば、Ｗｅｂサーバにレポート編集ウィンドウのデータを格納しておき、クライアントはＷｅｂサーバにアクセスして、Ｗｅｂページの形式に加工されたレポート編集ウィンドウのデータをダウンロードする。クライアントのブラウザは、受信したＷｅｂページのソースコードを解釈してレポート編集ウィンドウを生成する。Ｗｅｂサーバは、ＤＢサーバが兼用してもよいし、ＤＢサーバとは別のサーバでもよい。汎用的なブラウザを使用する場合には、ＷｅｂサーバのＣＰＵが、クライアントのＣＰＵと協働して、または単独で、編集処理部、コンソール制御部等を構成する。
【０１３７】
また、ＤＢが構築されるデータ格納装置としては、ＤＢサーバ以外でもよく、例えば、ＮＡＳ（Network Attached Storage）、ＳＡＮ（Storage Area Network）といったネットワークを介して接続するストレージデバイスを使用してもよい。このように、コンピュータシステムの物理構成は適宜変更が可能である。
【０１３８】
上記各実施形態では、ネットワークとしてＬＡＮを例に説明しているが、診療科と検査科が複数の拠点に分散しているような場合には、ネットワークとしてＬＡＮとＷＡＮ（Wide Area Network）を組み合わせて使用してもよい。
【０１３９】
なお、上記各実施形態で示したとおり、本発明は、プログラムの形態、さらにはプログラムを記憶する記憶媒体にもおよぶことはもちろんである。
【符号の説明】
【０１４０】
２  医療情報システム
１３  レポート作成端末
３０  ＣＰＵ
３１  メモリ
３２  ストレージデバイス
３４  コンソール
３６  アプリケーションプログラム（ＡＰ）
３７  ディスプレイ
３８  入力デバイス
４０  コンソール制御部
４２  編集処理部
４５、４５ａ、４５ｂ  テンプレートウィンドウ
４６  用語選択入力領域
４７  その他所見入力領域
４８  診断名入力領域
４９  その他診断入力領域
５２  用語選択ボタン
５４、５６、５７、５８  入力ボックス
５５  プルダウンメニュー
５９  全臓器正常ボタン
６０  異常なしボタン
６５  レポートウィンドウ
６７  所見文表示領域
６８  診断名表示領域
７０  過去レポートボタン
７２ａ、７２ｂ  臓器単位表示変更ボタン
７３ａ、７３ｂ  臓器内表示変更ボタン
８５  統合所見文情報
９０  典型的パターン保存テーブル
９５  プルダウンメニュー
９９  保存ボタン
１００  上書きボタン
１０１  削除ボタン
【図１】
2012053632.tif 000003
【図２】
2012053632.tif 000004
【図３】
2012053632.tif 000005
【図４】
2012053632.tif 000006
【図５】
2012053632.tif 000007
【図６】
2012053632.tif 000008
【図７】
2012053632.tif 000009
【図８】
2012053632.tif 000010
【図９】
2012053632.tif 000011
【図１０】
2012053632.tif 000012
【図１１】
2012053632.tif 000013
【図１２】
2012053632.tif 000014
【図１３】
2012053632.tif 000015
【図１４】
2012053632.tif 000016
【図１５】
2012053632.tif 000017
【図１６】
2012053632.tif 000018